(57)【要約】      （修正有）【課題】デジタル一眼レフカメラのレンズ鏡筒前面に装着して使用する特殊フィルター、軟焦点効果を得るソフトフィルターや光条効果を得るクロスフィルターなど様々な特殊効果を演出する機能付きフィルターであるデジタルカメラ用の特殊フィルターを提供する。【解決手段】二枚の円型フィルターレンズ前側基板２と円型フィルターレンズ後側基板３の間にフィルター素子４を挟持してフィルターレンズ５を構成し、フィルター素子を挟持したフィルターレンズの円周部６で円型フィルターレンズ前側基板と円型フィルター後側基板間を接着剤７にて接着し、フィルターレンズの円縁部８を合成樹脂材にてカバーシールすることにより円型フィルターレンズ前側基板とフィルター素子、並びに円型フィルター後側基板を一体化したフィルターレンズを形成する。【選択図】図１
0003192503.tif 000002
【実用新案登録請求の範囲】
【請求項１】
フィルターレンズの光軸１に対して少なくとも前後に配置される二枚の円型フィルターレンズ前側基板２と円型フィルターレンズ後側基板３の間にフィルター素子４を挟持してフィルターレンズ５を構成し、該フィルター素子４を挟持したフィルターレンズ５の円周部６で前記円型フィルターレンズ前側基板２と円型フィルター後側基板３間を接着材７にて接着してフィルターレンズ５を形成し、該フィルターレンズ５の円縁部８に合成樹脂材にてカバーシール９を設けることにより前記円型フィルターレンズ前側基板２とフィルター素子４、並びに円型フィルター後側基板３を一体化したフィルターレンズ５を形成し、該フィルターレンズ５は一般枠や二重枠形状のフィルター枠内に内蔵保持可能であることを特徴とするデジタルカメラ用の特殊フィルター。
【請求項２】
前記フィルター素子４を挟持したフィルターレンズ５の円周部６で円型フィルターレンズ前側基板２と円型フィルターレンズ後側基板３間にスペーサー１８を介して互いに接着剤７ａ、７ｂにて接着してフィルターレンズ５を形成し、該フィルターレンズ５の円周部６を構成する円型フィルターレンズ前側基板２、スペーサー１８並びに円型フィルターレンズ後側基板３の円縁部８に合成樹脂材にてカバーシール９を設けたことにより前記円型フィルターレンズ前側基板２、フィルター素子４、スペーサー１８並びに円型フィルターレンズ後側基板３を一体化したフィルターレンズ５を形成し、該フィルターレンズ５は一般枠や二重枠形状のフィルター枠に内蔵保持可能であることを特徴とするデジタルカメラ用の特殊フィルター。
【請求項３】
前記フィルター素子４は光を透過する部位と少し透過する部位、並びに全く光を透過しない部位が線や点、或いは丸や四角や三角形状などで模様化された任意の紙、樹脂製のシート、ガラス、並びにフイルムや樹脂製の網とすることを特徴とする請求項１または請求項２のいずれかに記載されたデジタルカメラ用の特殊フィルター。
【請求項４】
前記フィルター素子４は光を透過する孔形状の部位と全く光を透過しない板状の部位からなり、該光を透過する孔形状の部位がステンレス板やアルミ板、或いは銅板など任意のスリットや小孔、或いは丸や四角や三角形状など模様化された形状が穿たれたものであることを特徴とする請求項１または請求項２のいずれかに記載されたデジタルカメラ用の特殊フィルター。
【考案の詳細な説明】
【技術分野】
【０００１】
本考案は、デジタルカメラ用の特殊フィルターに関するものである。
【０００２】
本考案におけるデジタルカメラ用の特殊フィルターとは、軟焦点効果を得るソフトフィルターや光条効果を得るクロスフィルターなど、様々な特殊効果を演出するフィルターに関するものであり、本考案は、ソフトフィルターやクロスフィルター、又は同様の新しい効果を演出する機能付きフィルターを提供するものであり、また、本考案は、様々な特殊効果を演出する特殊フィルターを効率よく安価に提供できるものである。
【背景技術】
【０００３】
所謂、フイルム式カメラにおける特殊フィルターの撮影効果機能を有するレンズ付きフイルムユニット（使い捨てカメラ、使い切りカメラ共呼ばれる）に関する発明が、特開平１０−２３２４６１号（以下、特許文献１と称する）にて開示されている。
【０００４】
而して、特許文献１における従来技術の説明においては、写真撮影の際に撮影レンズに取りつけることにより、様々な特殊効果を演出する各種の特殊フィルターが知られている。このような特殊フィルターのうち、明るい光源付近から放射状の光芒を発生させるクロスフィルターや、あるいは、画面全体にフレアーを発生させ、ソフトな写真にするソフトフィルター等が一般に市販されている。このようなソフトフィルターは、特にポートレートの撮影に用いることにより、被写体となる人物をソフトなイメージで撮影することができ、また、特に被写体が中年女性の場合、気になるシミやシワを目立たなくするという効果もあり、プロのカメラマン等に使用されることも多い。
【０００５】
また、一部の一眼レフカメラ用の交換レンズには、レンズの一部の間隔を変えることにより球面収差を発生させ、上述したようなソフトフィルターと同様の効果をもたらすものや、撮影レンズの前面にソフトフィルターが挿脱可能に組み込まれている、ソフト撮影モードを有するコンパクトカメラも一般に提供されている。これらの交換レンズやカメラは、ソフト撮影を必要としない場合には、通常のシャープな撮影モードに切り換えることができるように、撮影モードの切換え機能を有している、と説明されており、一般的な特殊フィルターの機能や使用方法、そして、使用形態が記載されている。
【０００６】
そして、更に、特許文献１の発明がなされた当時の技術的背景には、ソフトフィルター等による特殊効果の撮影はプロのカメラマンやハイレベルのアマチュアユーザー以外は殆ど使用することがなく、一般的なユーザーにとっては、このようなソフトフィルター等による撮影は、適切な使い方もあまり知られておらず、また、使用する機会も多くはないのが現状で、ローコストで気軽に、且つ簡易にこのようなソフト効果の撮影ができるのであれば、使用したいというニーズも少なからずある、との認識であった。
【０００７】
斯くして、特許文献１の発明の目的は、未露光の写真フイルムが収納され、撮影レンズ、ファインダー、及びシャッター装置からなる簡易な撮影ユニットを内蔵したレンズ付きフイルムユニットにおいて、特殊効果による撮影をローコストで簡易に行うものであり、その構成は撮影レンズの湾曲面にフレアーを発生させる微細な凹凸を一体的に設けたものや、撮影レンズの湾曲面に微小な線条を形成するもので、前記ファインダーを構成する光学系の何れかに前記撮影レンズによりもたらせる特殊な撮影効果と同様の視覚が得られる処理を施したものである。
【０００８】
従って、特許文献１に記載された従来技術は、撮影ユニットを内蔵したレンズ付きフイルムユニットにおいて、撮影レンズの湾曲面にフレアーを発生させる微細な凹凸を一体的に設けたり、撮影レンズの湾曲面に微細な線条を一体的に形成することにより、特殊効果を演出する撮影をローコストで簡易に行うことができるとしているが、レンズ付きフイルムユニットの撮影レンズ湾曲面に微細な凹凸を一体的に設けたり、また撮影レンズの湾曲面に微細な線条を形成する方法は、レンズ付きフイルムユニット（使い捨てカメラや使い切りカメラ）の汎用性や機能性を拡大した点では大いに評価できるものであるが、夫々のレンズ付きフイルムユニットをシングルユース化してしまうという大きな欠点を有しているので、所謂、デジタル一眼レフカメラには使用できない。
【０００９】
而して、本考案は、デジタル一眼レフカメラのレンズ鏡筒前面に装着して使用するソフトフィルターやクロスフィルターなどの特殊フィルターに関するものであり、本考案がなされた技術的背景には、最近のデジタル一眼レフカメラが一般層にも購入し易い価格帯で販売され、女性から高齢者を含めた大勢のアマチュアカメラ愛好家が増えてきたことに起因する。
【００１０】
また、本考案は、デジタル一眼レフカメラにおいて、光学信号である画像を電気信号に変換する撮影素子（光学センサ）は、ＣＣＤイメージセンサかＣＭＯＳイメージセンサを搭載して高感度になり、微細な光信号までを正確にデジタルデータとしてとらえられるようになってきており、その表現力は、アマチュアカメラ愛好家においてもたくさんの素晴らしい作品や写真撮影を可能とするものであり、それらのアマチュアカメラ愛好家の方々が、各種交換レンズや各種フィルターの特性、機能を知識として保有して、該交換レンズや各種フィルターを日常的に選択使用してきている現況がある。
【先行技術文献】
【特許文献】
【００１１】
特許文献１  特開平１０−２３２４６１号公報
【考案の概要】
【考案が解決しようとする課題】
【００１２】
本考案が解決しようとする課題は、デジタル一眼レフカメラのレンズ鏡筒前面に装着して使用する特殊フィルター、即ち、軟焦点効果を得るソフトフィルターや光条効果を得るクロスフィルターなど、様々な特殊効果を演出する機能付きフィルターを提供するものであり、また、本考案は、様々な特殊効果を演出する特殊フィルターを効率よく安価に提供できるものである。
【課題を解決するための手段】
【００１３】
本考案は、フィルターレンズの光軸に対して少なくとも前後に配置される二枚の円型フィルターレンズ前側基板と円型フィルターレンズ後側基板の間にフィルター素子を挟持してフィルターレンズを構成し、該フィルター素子を挟持したフィルターレンズの円周部で前記円型フィルターレンズ前側基板と円型フィルター後側基板間を接着材にて接着した後、前記フィルターレンズの円縁部を合成樹脂材にてカバーシールすることにより前記円型フィルターレンズ前側基板とフィルター素子、並びに円型フィルター後側基板を一体化したフィルターレンズを形成するものであり、該フィルターレンズはフィルター枠内に嵌着されて特殊フィルターを形成し、デジタル一眼レフカメラのレンズ鏡筒前面に装着して使用される。
【００１４】
また、本考案は、フィルターレンズの光軸に対して少なくとも前後に配置される二枚の円型フィルターレンズ前側基板と円型フィルターレンズ後側基板の間にフィルター素子を挟持してフィルターレンズを構成し、該フィルター素子を挟持したフィルターレンズの円周部で前記円型フィルターレンズ前側基板と円型フィルターレンズ後側基板間をスペーサーを介して互いに接着剤にて接着した後、前記円型フィルターレンズ前側基板、スペーサー並びに円型フィルターレンズ後側基板が形成する円縁部を合成樹脂材にてカバーシールすることにより前記円型フィルターレンズ前側基板、フィルター素材、スペーサー並びに円型フィルターレンズ後側基板を一体化したフィルターレンズを形成するものであり、該フィルターレンズはフィルター枠内に嵌着されて特殊フィルターを形成し、デジタル一眼レフカメラのレンズ鏡筒前面に装着して使用される。
【００１５】
そして、本考案において、前記フィルター素子は、光を透過する部位と少し透過する部位、並びに全く光を透過しない部位が線や点、或いは丸や四角や三角形状などで模様化された紙や布、樹脂製のシート、ガラス、並びにフイルムや樹脂製の網とすることにより、従来の軟焦点効果を得るソフトフィルターや光上効果を得るクロスフィルターなどの特殊効果はもとより、新しい特殊効果を有するフィルターを得ることができる。
【００１６】
また、本考案において、前記フィルター素子は光を透過する孔形状の部位と全く光を透過しない板状の部位からなり、該光を透過する孔形状の部位がステンレス板やアルミ板、或いは銅板などにスリットや小孔、或いは丸や四角や三角形状など模様化された形状が穿たれたものとすることにより、従来の軟焦点効果を得るソフトフィルターや光上効果を得るクロスフィルターなどの特殊効果はもとより、新しい特殊効果を有するフィルターを得ることができる。
【考案の効果】
【００１７】
従って、本考案は、少なくともフィルターレンズの光軸上に配置される二枚の円型フィルターレンズ前側基板と円型フィルターレンズ後側基板の間にフィルター素子を挟持してフィルターレンズを構成し、該フィルター素子を挟持したフィルターレンズの円周部で前記円型フィルターレンズ前側基板、円形フィルターレンズ後側基板間を接着剤にて接着することにより、円型フィルターレンズ前側基板、フィルター素子、そして円型フィルターレンズ後側基板を一体化したフィルターレンズを構成するものであり、従来の特殊フィルターの如く、その製作工程中においてフィルターレンズ基板にスパッタリングや蒸着法など高温で金属材料を凹凸形状に溶着してフィルターレンズ基板を一体的に製作したり、フィルターレンズ基板に直接微細な線条を刻設する等の加工が必要となくなり、フィルターレンズ基板の平滑度を維持可能で精度の良いフィルターが製作可能である。
【００１８】
また、本考案は、少なくとも二枚の円形フィルターレンズ前側基板と円形フィルターレンズ後側基板によりフィルター素子を挟持する構成で、該フィルター素子は、光を透過する部位と少し透過する部位、並びに全く光を透過しない部位が線や点、或いは丸や四角や三角形状などで模様化された紙や布、樹脂製のシート、ガラス、並びにフイルムや樹脂製の網とするものや、光を透過する孔形状の部位と全く光を透過しない板状の部位からなり、該光を透過する孔形状の部位がステンレス板やアルミ板、或いは銅板などにスリットや小孔、或いは丸や四角や三角形状など模様化され形状が穿たれたものが任意に選択でき、該フィルター素材の選択によりソフトフィルターやクロスフィルターは勿論のこと様々な特殊効果を演出する新しい特殊フィルターを提供することが可能である。
【００１９】
そして、本考案は、少なくとも二枚の円形フィルターレンズ前側基板と円形フィルターレンズ後側基板によりフィルター素子を挟持する構成であることから、従来のこの種のフィルターの製造工程の如くフィルター素子を円形フィルターレンズ前側基板、円型フィルターレンズ後側基板間において、その全面に接着材を塗布して接着する構成ではないために、夫々の接着面に気泡を発生させることなく貼り合わせ可能であり、非常に簡易に効率よくフィルターレンズの製作ができることから、安価に特殊フィルターを提供することが可能となる。
【図面の簡単な説明】
【００２０】
【図１】（Ａ）本考案の実施例１を説明する組み立て部品図。       （Ｂ）本考案の実施例１を説明する断面図。
【図２】（Ａ）本考案の実施例２を説明する組み立て部品図。       （Ｂ）本考案の実施例２を説明する断面図。
【図３】（Ａ）本考案の特殊フィルターレンズ装着用枠の組み立て部品図。       （Ｂ）本考案の特殊フィルターレンズ装着用枠の要部断面図。
【図４】（Ａ）本考案に使用されるフィルター素子のパターンａを示す説明図。       （Ｂ）本考案に使用されるフィルター素子のパターンｂを示す説明図。       （Ｃ）本考案に使用されるフィルター素子のパターンｃを示す説明図。
【図５】（Ａ）本考案に使用されるフィルター素子のパターンｄを示す説明図。       （Ｂ）本考案に使用されるフィルター素子のパターンｅを示す説明図。       （Ｃ）本考案に使用されるフィルター素子のパターンｆを示す説明図。
【考案を実施するための形態】
【００２１】
本考案は、デジタルカメラ用の特殊フィルターに関するものである。本考案は、デジタル一眼レフカメラのレンズ鏡筒前面に装着して使用するソフトフィルターやクロスフィルターなどの特殊フィルターに関するもので、本考案がなされた技術的背景には、最近のデジタル一眼レフカメラが一般層にも購入し易い価格帯で販売され、女性から高齢者を含めた大勢のアマチュアカメラ愛好家が増えてきたことに起因する。
【００２２】
また、本考案は、デジタル一眼レフカメラにおいて、光学信号である画像を電気信号に変換する撮影素子（光学センサ）は、ＣＣＤイメージセンサかＣＭＯＳイメージセンサを搭載して高感度になり、微細な光信号までを正確にデジタルデータとしてとらえられるようになってきており、その解像力や性能を駆使した表現力は、アマチュアカメラ愛好家においてもたくさんの素晴らしい作品や写真撮影を可能とするものであり、それらのアマチュアカメラ愛好家の方々が、各種交換レンズや各種フィルターの特性や機能を知識として保有して、該交換レンズや各種フィルターを日常的に選択し使用し始めた現況がある。
【００２３】
斯くして、本考案は、フィルターレンズの光軸に対して少なくとも前後に配置される二枚の円型フィルターレンズ前側基板と円型フィルターレンズ後側基板の間にフィルター素材を挟持してフィルターレンズを構成し、該フィルター素材を挟持したフィルターレンズの円周部で前記円型フィルターレンズ前側基板と円型フィルター後側基板間を接着材にて接着した後、前記フィルターレンズの円縁部を合成樹脂材にてカバーシールすることにより前記円型フィルターレンズ前側基板とフィルター素材、並びに円型フィルター後側基板を一体化したフィルターレンズを形成したことが好ましい。
【００２４】
また、本考案は、フィルターレンズの光軸に対して少なくとも前後に配置される二枚の円型フィルターレンズ前側基板と円型フィルターレンズ後側基板の間にフィルター素材を挟持してフィルターレンズを構成し、該フィルター素材を挟持したフィルターレンズの円周部で前記円型フィルターレンズ前側基板と円型フィルターレンズ後側基板間をスペーサーを介して互いに接着剤にて接着した後、前記円型フィルターレンズ前側基板、スペーサー並びに円型フィルターレンズ後側基板が形成する円縁部を合成樹脂材にてカバーシールすることにより前記円型フィルターレンズ前側基板、フィルター素材、スペーサー並びに円型フィルターレンズ後側基板を一体化したフィルターレンズを形成したことが好ましい。
【００２５】
そして、本考案において、前記フィルター素材は、光を透過する部位と少し透過する部位、並びに全く光を透過しない部位が線や点、或いは丸や四角や三角形状などで模様化された紙や布、樹脂製のシート、ガラス、並びにフイルムや樹脂製の網とすることにより、従来の軟焦点効果を得るソフトフィルターや光上効果を得るクロスフィルターなどの特殊効果はもとより、新しい特殊効果を有するフィルターを得る構成であることが好ましい。
【００２６】
また、本考案において、前記フィルター素材は光を透過する孔形状の部位と全く光を透過しない板状の部位からなり、該光を透過する孔形状の部位がステンレス板やアルミ板、或いは銅板などにスリットや小孔、或いは丸や四角や三角形状など模様化された形状が穿たれたものとすることにより、従来の軟焦点効果を得るソフトフィルターや光上効果を得るクロスフィルターなどの特殊効果はもとより、新しい特殊効果を有するフィルターを得る構成であることが好ましい。
【００２７】
而して、本考案は、従来のフィルターレンズの如く、二枚のフィルターレンズ前側基板と円型フィルターレンズ後側基板の間にフィルター素材を接着剤を用いて夫々全面貼着するのではなく、少なくとも二枚の円形フィルターレンズ前側基板と円型フィルターレンズ後側基盤の間にフィルター素材を挟持してフィルターレンズを構成するもので、該フィルター素材を挟持したフィルターレンズの円周部で前記円型フィルターレンズ前側基板、円型フィルターレンズ後側間を接着することにより前記円型フィルターレンズ前側基板、フィルター素材、並びに円型フィルターレンズ後側基板を一体化したフィルターレンズを構成するものである。
【００２８】
そして、本考案は、従来の特殊フィルターの如く、その製作工程中にフィルターレンズ基板上にスパッタリングや蒸着法など高温状態で金属材料を凹凸形状に溶着して一体的に製作したり、フィルターレンズ基板に直接微細な線条を刻設する加工などが必要なく、フィルターレンズ基板の平滑度を製作工程中において維持可能で、精度の良いフィルターが製作できるものである。
【００２９】
また、本考案は、少なくとも二枚の円形フィルターレンズ前側基盤と円形フィルターレンズ後側基盤によりフィルター素子を挟持する構成で、該フィルター素子は、光を透過する部位と少し透過する部位、並びに全く光を透過しない部位が線や点、或いは丸や四角や三角形状などで模様化された紙や布、樹脂製のシート、ガラス、並びにフイルムや樹脂製の網とするものや、光を透過する孔形状の部位と全く光を透過しない板状の部位からなり、該光を透過する孔形状の部位がステンレス板やアルミ板、或いは銅板などにスリットや小孔、或いは丸や四角や三角形状など模様化され形状が穿たれたものが任意に選択でき、該フィルター素材の選択によりソフトフィルターやクロスフィルターは勿論のこと様々な特殊効果を演出する新しい特殊フィルターを提供することが可能である。
【００３０】
そして、本考案は、少なくともフィルターレンズの光軸上に配置される二枚の円形フィルターレンズ前側基盤と円形フィルターレンズ後側基盤によりフィルター素子を挟持する構成であることから、従来のこの種のフィルターの如くフィルター素子を円形フィルターレンズ前側基盤、円型フィルターレンズ後側基板間に接着材を介して夫々に気泡を発生させることなく貼り合わせする難しい製造工程などもなくなり、非常に簡易に効率よくフィルターレンズを製作することができることから、安価で精度のよい特殊フィルターを提供可能である。
【実施例１】
【００３１】
図１において、図１（Ａ）は本考案の実施例１を説明する組み立て部品図、図１（Ｂ）は本考案の実施例１を説明する断面図である。図１（Ａ）、（Ｂ）において、１はフィルターレンズの光軸、２は円型フィルターレンズ前側基板、３は円型フィルターレンズ後側基板、４はフィルター素子を示している。
【００３２】
図１（Ｂ）は円型フィルターレンズ前側基板２と円型フィルターレンズ後側基板３にてフィルター素子４を挟持してフィルターレンズ５を形成し、該フィルターレンズ５はその円周部６を接着剤７にて貼着されており、前記円型フィルターレンズ前側基板２と円型フィルターレンズ後側基板３、並びにフィルターレンズ５の円縁部８には、アクリル系樹脂やシリコーン樹脂、または熱可塑性エラストマー樹脂など合成樹脂材からなるカバーシール９が塗布や貼着または成型材として嵌着されている。
【００３３】
斯くして、実施例１は、フィルターレンズの光軸１に対して少なくとも前後に配置される二枚の円型フィルターレンズ前側基板２と円型フィルターレンズ後側基板３の間にフィルター素子４を挟持してフィルターレンズ５を構成し、該フィルター素子４を挟持したフィルターレンズ５の円周部６で前記円型フィルターレンズ前側基板２と円型フィルター後側基板３間を接着剤７にて接着した後、前記フィルターレンズ５の円縁部８を合成樹脂材にてカバーシール９をすることにより前記円型フィルターレンズ前側基板２とフィルター素材４、並びに円型フィルター後側基板３を一体化したフィルターレンズ５を形成したデジタルカメラ用の特殊フィルターを提供する。
【００３４】
図３（Ａ）、（Ｂ）は、上述したフィルターレンズ５をデジタル一眼レフカメラのレンズ鏡筒前面（図示せず）に着脱自在に取り付けるためのフィルターレンズ枠とするための具体例を示すものであり、図３（Ａ）は、フィルターレンズ用装着枠を説明する組み立て部品図、図３（Ｂ）は、フィルターレンズ用装着枠を説明する要部拡大断面図である。
【００３５】
図３（Ａ）、（Ｂ）において、１はフィルターレンズの光軸、５はフィルターレンズ、１０は前枠、１１は回転部ワッシャー、１２は後枠で、前記前枠１０の前面には、他のアタッチメント装着用の雌ネジ１３、フィルターレンズ嵌合部１４、並びに回転部ワッシャー１１の嵌合溝１５ａが刻設されており、また後枠１２には同様に前記回転部ワッシャー１１を介して前枠１０を後枠１２に対して回転可能に装着できる嵌合溝１５ｂが刻設されている。
【００３６】
尚、１６は組み立てされたフィルターレンズ用装着枠を示し、１７はカメラレンズ鏡筒の前面にフィルターレンズ用装着枠１６を着脱自在に取付けるための雄ネジであり、本考案のフィルターレンズ５の装着用枠は、後枠１２をカメラレンズの鏡筒前面に螺着した場合、フィルターレンズ５を嵌合した前枠１０がフィルターレンズの光軸１を中心に回転できる、所謂、二重枠形状のものが、多く使用される。
【実施例２】
【００３７】
図２において、図２（Ａ）は本考案の実施例２を説明する組み立て部品図、図２（Ｂ）は本考案の実施例２を説明する断面図である。図２（Ａ）、（Ｂ）において、１はフィルターレンズの光軸、２は円型フィルターレンズ前側基板、３は円型フィルターレンズ後側基板、４はフィルター素子、１８はスペーサーを示している。
【００３８】
図２（Ｂ）は、円型フィルターレンズ前側基板２と円型フィルターレンズ後側基板３にてフィルター素子４を挟持してフィルターレンズ５を形成し、該フィルターレンズ５はその円周部６に前記フィルター素子４の厚さを補える合成樹脂や金属製のスペーサー１８を介しており、前記円型フィルターレンズ前側基板２と円型フィルター後側基板３はスペーサー１８の両面に塗布された接着剤７ａ、７ｂにて貼着されており、前記円型フィルターレンズ前側基板２と円型フィルターレンズ後側基板３、並びにフィルターレンズ５の円縁部８には、アクリル系樹脂やシリコーン樹脂、または熱可塑性エラストマー樹脂など合成樹脂材からなるカバーシール９が塗布や貼着または成型材として嵌着されている。
【００３９】
斯くして、実施例２は、フィルターレンズの光軸１に対して少なくとも前後に配置される二枚の円型フィルターレンズ前側基板２と円型フィルターレンズ後側基板３の間にフィルター素子４を挟持してフィルターレンズ５を構成し、該フィルター素子４を挟持したフィルターレンズ５の円周部６で前記円型フィルターレンズ前側基板２と円型フィルターレンズ後側基板間３をスペーサー１８を介して互いに接着剤にて接着した後、前記円型フィルターレンズ前側基板２、スペーサー１８、並びに円型フィルターレンズ後側基板３が形成する円縁部８を合成樹脂材にてカバーシール９をすることにより、前記円型フィルターレンズ前側基板２、フィルター素子４、スペーサー１８、並びに円型フィルターレンズ後側基板３を一体化したフィルターレンズ５形成したデジタルカメラ用の特殊フィルターを提供する。
【００４０】
そして、実施例２の構成を有するフィルターレンズ５は、実施例１と同様に図３（Ａ）、（Ｂ）の如くフィルターレンズ用装着枠に装着される。図３（Ａ）、（Ｂ）において、１はフィルターレンズの光軸、５はフィルターレンズ、１０は前枠、１１は回転部ワッシャー、１２は後枠で、前記前枠１０の前面には、他のアタッチメント装着用の雌ネジ１３、フィルターレンズ嵌合部１４、並びに回転部ワッシャー１１の嵌合溝１５ａが刻設されており、また後枠１２には同様に前記回転部ワッシャー１１を介して前枠１０を後枠１２に対して回転可能に装着できる嵌合溝１５ｂが刻設されている。
【００４１】
尚、１６は、組み立てされたフィルターレンズ用装着枠を示し、１７はカメラレンズ鏡筒の前面にフィルターレンズ用装着枠１６を着脱自在に取付けるための雄ネジであり、本考案のフィルターレンズ５の装着用枠は、後枠１２をカメラレンズの鏡筒前面に螺着した場合、フィルターレンズ５を嵌合した前枠１０がフィルターレンズの光軸１を中心に回転できる、所謂、二重枠形状のものが、多く使用される。
【実施例３】
【００４２】
斯くして、図４（Ａ）、（Ｂ）、（Ｃ）は、本考案に使用されるフィルター素子４のパターンａ、ｂ、ｃを示す説明図である。また、図５（Ａ）、（Ｂ）、（Ｃ）は本考案に使用されるフィルター素子４のパターンｄ、ｅ、ｆを示す説明図である。
【００４３】
図４または図５において、図はフィルターレンズ用装着枠の正面図を示しており、フィルターの前枠１０内に透明の円型フィルターレンズ前側基板２を介して各フィルター素子４のパターンａ乃至ｆが装着されている。
【００４４】
図４（Ａ）は、フィルター素子４を例えばガラスや合成樹脂材料で製作して、該フィルター素子４の表面に真空蒸着やスパッタリング、或いは細かなエッチングの手法で微細な凹凸パターンａを付けたもので、ソフトフィルター的な特殊効果が得られものであり、該フィルター素子４は円型フィルターレンズ前側基板２と円型フィルターレンズ後側基板３間に挟持された構成を有する。
【００４５】
図４（Ｂ）は、フィルター素子４をガラスや合成樹脂材料で製作して、微細な線条をフィルター素子４に刻設したり印刷したりすることによりパターンｂを設け、クロスフィルター的な特殊効果を得られるものであり、該フィルター素子４は円型フィルターレンズ前側基板２と円型フィルターレンズ後側基板３間に挟持された構成を有する。
【００４６】
図４（Ｃ）は、フィルター素子４をガラスや合成樹脂材料で製作し、微細な線条の網目条をフィルター素子４に刻設したり印刷したりすることによりパターンｃを設け、クロスフィルター的な特殊効果を得られるものであり、該フィルター素子４は円型フィルターレンズ前側基板２と円型フィルターレンズ後側基板３間に挟持された構成を有する。
【００４７】
而して、実施例３の１例では、フィルター素子４は、光を透過する部位と少し透過する部位、並びに全く光を透過しない部位が線や点、或いは丸や四角や三角形状などで模様化された紙や布、樹脂製のシート、ガラス、並びにフイルムや樹脂製の網とすることができ、前記フィルター素子４の利用方法によっては、新しい光線のフレアーを発生させるフィルターレンズを得ることができる。
【００４８】
また、図５（Ａ）、（Ｂ）、（Ｃ）は、フィルター素子４を例えばステンレス薄板やアルミ薄板、或いは銅板材料で製作して、該フィルター素子４の表面にエッチングやレーザー加工の手法で孔を穿パターンｄ、ｅ、ｆを付けたもので、ソフトフィルター的な特殊効果が得られものであり、該フィルター素子４は円型フィルターレンズ前側基板２と円型フィルターレンズ後側基板３間に挟持された構成を有する。
【００４９】
従って、前記フィルター素子４は光を透過する孔形状の部位と全く光を透過しない板状の部位からなり、該光を透過する孔形状の部位がステンレス板やアルミ板、或いは銅板などにスリットや小孔、或いは丸や四角や三角形状など模様化された形状が穿たれたものであり、前記フィルター素子４の利用方法によっては、新しい光線のフレアーを発生させるフィルターレンズを得ることができる。
【００５０】
次に、本考案における特殊フィルターの製造方法を簡単に説明する。図１及び図２に示す如く、フィルターレンズの光軸１に対して少なくとも前後に配置される二枚の円型フィルターレンズ前側基板２と円型フィルターレンズ後側基板３の間にフィルター素子４を挟持してフィルターレンズ５を構成し、該フィルター素子４を挟持したフィルターレンズ５の円周部６で前記円型フィルターレンズ前側基板２と円型フィルター後側基板３間を接着材７にて接着した後、前記フィルターレンズ５の円縁部８を合成樹脂材によるカバーシール９をすること、またはフィルターレンズの光軸１に対してすくなくとも前後に配置される二枚の円型フィルターレンズ前側基板２と円型フィルターレンズ後側基板４の間にフィルター素子４を挟持してフィルターレンズ５を構成し、前記フィルター素子４を挟持したフィルターレンズ５の円周部６で前記円型フィルターレンズ前側基板２と円型フィルターレンズ後側基板３間をスペーサー１８を介して互いに接着剤７ａ、７ｂにて接着した後、前記円型フィルターレンズ前側基板２、スペーサー１８、並びに円型フィルターレンズ後側基板３が形成する円縁部８を合成樹脂材によるカバーシール９をすることにより前記円型フィルターレンズ前側基板２、フィルター素材４、スペーサー１８、並びに円型フィルター後側基板３を一体化する方法にてフィルターレンズを構成するものである。
【００５１】
斯くして、本考案は、少なくともフィルターレンズの光軸上１に配置される二枚の円型フィルターレンズ前側基板２と円型フィルターレンズ後側基板３の間にフィルター素子４を挟持してフィルターレンズ５を構成し、該フィルター素子４を挟持したフィルターレンズ５の円周部６で前記円型フィルターレンズ前側基板２、円形フィルターレンズ後側基板３間を接着剤７にて接着することにより、円型フィルターレンズ前側基板２、フィルター素子４、そして円型フィルターレンズ後側基板２を一体化したフィルターレンズ５を構成するものであり、従来の特殊フィルターの如く、その製作工程中においてフィルターレンズ基板にスパッタリングや蒸着法など高温で金属材料を凹凸形状に溶着してフィルターレンズ基板を一体的に製作したり、フィルターレンズ基板に直接微細な線条を刻設する等の加工が必要となくなり、フィルターレンズ基板の平滑度を維持可能で精度の良いフィルターが製作可能である。
【００５２】
また、本考案は、少なくとも二枚の円形フィルターレンズ前側基板２と円形フィルターレンズ後側基板３によりフィルター素子４を挟持する構成で、該フィルター素子４は、光を透過する部位と少し透過する部位、並びに全く光を透過しない部位が線や点、或いは丸や四角や三角形状などで模様化された紙や布、樹脂製のシート、ガラス、並びにフイルムや樹脂製の網とするものや、光を透過する孔形状の部位と全く光を透過しない板状の部位からなり、該光を透過する孔形状の部位がステンレス板やアルミ板、或いは銅板などにスリットや小孔、或いは丸や四角や三角形状など模様化され形状が穿たれたものが任意に選択でき、該フィルター素子４の選択によりソフトフィルターやクロスフィルターは勿論のこと様々な特殊効果を演出する新しい特殊フィルターを提供することが可能である。
【００５３】
そして、本考案は、少なくとも二枚の円形フィルターレンズ前側基板２と円形フィルターレンズ後側基板３によりフィルター素子４を挟持する構成であることから、従来のこの種のフィルターの製造工程の如くフィルター素子４を円形フィルターレンズ前側基板２、円型フィルターレンズ後側基板３間において、その全面に接着材を塗布して接着する構成ではないために、夫々の接着面に気泡を発生させることなく貼り合わせ可能であり、非常に簡易に効率よくフィルターレンズの製作ができることから、安価に特殊フィルターを提供することが可能となる。
【符号の説明】
【００５４】
１  フィルターレンズの光軸
２  円型フィルターレンズ前側基板
３  円型フィルターレンズ後側基板
４  フィルター素子
５  フィルターレンズ
６  円周部
７、７ａ、７ｂ  接着剤
８  円縁部
９  カバーシール
１０  前枠
１１  回転部ワッシャー
１２  後枠
１３  雌ネジ
１４  フィルターレンズ嵌合部
１５ａ、１５ｂ  嵌合溝
１６  フィルターレンズ用装着枠
１７  雄ネジ
１８  スペーサー
【図１】
0003192503.tif 000003
【図２】
0003192503.tif 000004
【図３】
0003192503.tif 000005
【図４】
0003192503.tif 000006
【図５】
0003192503.tif 000007
【手続補正書】
【提出日】平成26年6月13日(2014.6.13)
【手続補正１】
【補正対象書類名】実用新案登録請求の範囲
【補正対象項目名】全文
【補正方法】変更
【補正の内容】
【実用新案登録請求の範囲】
【請求項１】
フィルターレンズの光軸（１）に対して少なくとも前後に配置される二枚の円型フィルターレンズ前側基板（２）と円型フィルターレンズ後側基板（３）の間にフィルター素子（４）を挟持してフィルターレンズ（５）を構成し、該フィルター素子（４）を挟持したフィルターレンズ（５）の円周部（６）で前記円型フィルターレンズ前側基板（２）と円型フィルター後側基板（３）間を接着材（７）にて接着してフィルターレンズ（５）を形成し、該フィルターレンズ（５）の円縁部（８）に合成樹脂材にてカバーシール（９）を設けることにより前記円型フィルターレンズ前側基板（２）とフィルター素子（４）、並びに円型フィルター後側基板（３）を一体化したフィルターレンズ（５）を形成し、該フィルターレンズ（５）は一般枠や二重枠形状のフィルター枠内に内蔵保持可能であることを特徴とするデジタルカメラ用の特殊フィルター。
【請求項２】
フィルターレンズの光軸（１）に対して少なくとも前後に配置される二枚の円型フィルターレンズ前側基板（２）と円型フィルターレンズ後側基板（３）の間にフィルター素子（４）を挟持してフィルターレンズ（５）を構成し、該フィルター素子（４）を挟持したフィルターレンズ（５）の円周部（６）で前記円型フィルターレンズ前側基板（２）と円型フィルターレンズ後側基板（３）間にスペーサー（１８）を介して互いに接着剤（７ａ）、（７ｂ）にて接着してフィルターレンズ（５）を形成し、該フィルターレンズ（５）の円周部（６）を構成する円型フィルターレンズ前側基板（２）、スペーサー（１８）並びに円型フィルターレンズ後側基板（３）の円縁部（８）に合成樹脂材にてカバーシール（９）を設けたことにより前記円型フィルターレンズ前側基板（２）、フィルター素子（４）、スペーサー（１８）並びに円型フィルターレンズ後側基板（３）を一体化したフィルターレンズ（５）を形成し、該フィルターレンズ（５）は一般枠や二重枠形状のフィルター枠に内蔵保持可能であることを特徴とするデジタルカメラ用の特殊フィルター。
【請求項３】
前記フィルター素子（４）は光を透過する部位と少し透過する部位、並びに全く光を透過しない部位が線や点、或いは丸や四角や三角形状などで模様化された任意の紙、樹脂製のシート、ガラス、並びにフイルムや樹脂製の網とすることを特徴とする請求項１または請求項２のいずれかに記載されたデジタルカメラ用の特殊フィルター。
【請求項４】
前記フィルター素子（４）は光を透過する孔形状の部位と全く光を透過しない板状の部位からなり、該光を透過する孔形状の部位がステンレス板やアルミ板、或いは銅板など任意のスリットや小孔、或いは丸や四角や三角形状など模様化された形状が穿たれたものであることを特徴とする請求項１または請求項２のいずれかに記載されたデジタルカメラ用の特殊フィルター。